(57)【要約】【課題】弁の切り換え時における給水流量の変動を抑制すること。【解決手段】冷却材を供給する給水管１４と、給水管に設けられた給水弁４２と、給水弁の上流側と下流側とで給水管１４に接続されるバイパス管４３と、バイパス管に設けられて給水弁に比して定格容量が異なるバイパス弁４４と、を備える給水装置４０について、給水弁とバイパス弁とを切換制御する給水制御装置５１であって、閉状態の一方の弁に所定の目標弁開度βとする開作動信号ＯＳ１を出力したときＴ０から一方の弁が開作動を開始した旨の作動開始信号を入力するときＴ１，Ｔ２，Ｔ３までの追従時間Ａ１，Ａ２，Ａ３を取得する一方、作動開始信号に基づいて開状態の他方の弁に閉作動信号ＣＳ１，ＣＳ２，ＣＳ３を出力すると共に閉作動信号を出力してから他方の弁が閉状態になるまでの閉作動時間Ｃ１，Ｃ２，Ｃ３を追従時間に応じて設定する。【選択図】図１
2015230125.tif 000002
【特許請求の範囲】
【請求項１】
流体を供給する給水管と、
前記給水管に設けられた給水弁と、
前記給水弁の上流側と下流側とで前記給水管に接続されるバイパス管と、
前記バイパス管に設けられて前記給水弁に比して定格容量が異なるバイパス弁と、
を備える給水装置について、前記給水弁と前記バイパス弁とを切換制御する給水制御装置であって、
閉状態の一方の弁に所定の目標弁開度とする開作動信号を出力したときから前記一方の弁が開作動を開始した旨の作動開始信号を入力するときまでの追従時間を取得する一方、前記作動開始信号に基づいて開状態の他方の弁に閉作動信号を出力すると共に閉作動信号を出力してから前記他方の弁が閉状態になるまでの閉作動時間を前記追従時間に応じて設定することを特徴とする給水制御装置。
【請求項２】
前記他方の弁の開状態における弁開度に基づいて前記一方の弁における前記目標弁開度を求めることを特徴とする請求項１に記載の給水制御装置。
【請求項３】
前記追従時間に基づいて、前記開作動信号を出力してから前記一方の弁が前記目標弁開度となるまでの開作動時間を求め、当該開作動時間に基づいて前記他方の弁の前記閉作動時間を設定することを特徴とする請求項１または２に記載の給水制御装置。
【請求項４】
前記給水装置の前記給水弁および前記バイパス弁が、空気式制御弁であることを特徴とする請求項１〜３のいずれか一つに記載の給水制御装置。
【請求項５】
流体を供給する給水管と、
前記給水管に設けられた給水弁と、
前記給水弁の上流側と下流側とで前記給水管に接続されるバイパス管と、
前記バイパス管に設けられて前記給水弁に比して定格容量が異なるバイパス弁と、
を備える給水装置において、
前記給水弁と前記バイパス弁とを切換制御する請求項１〜４のいずれか一つに記載の前記給水制御装置を備えることを特徴とする給水装置。
【発明の詳細な説明】
【技術分野】
【０００１】
本発明は、原子力施設に設けられた蒸気発生器へ向けて冷却材を供給するための給水制御装置および給水装置に関する。
【背景技術】
【０００２】
従来、例えば、特許文献１に記載の給水装置は、原子力施設に設けられた蒸気発生器へ向けて冷却材を供給するため、蒸気発生器に接続された給水管と、給水管に設けられて定格容量の大きな給水弁と、給水弁の上流側と下流側とで給水管に接続されるバイパス管と、バイパス管に設けられて給水弁に比して定格容量の小さなバイパス弁と、給水流量制御装置と、を備えている。給水流量制御装置は、給水弁、給水弁に主給水弁制御信号切換器を介して連絡した主給水弁給水流量制御器、バイパス弁、バイパス弁にバイパス給水弁制御信号切換器を介して連絡したバイパス給水弁給水流量制御器、および両給水流量制御器と双方の切換器とに連絡し、給水流量信号を受けるようになっている給水弁自動切換制御装置を有している。そして、給水弁自動切換制御装置は、給水弁とバイパス弁の一方の流量を一定の割合で減少する弁閉制御信号と他方の流量を一定の割合で増加する弁開制御信号とを時間的に並行して発生し、給水弁とバイパス弁を合計給水流量の変動が最小になるように同時に制御するように構成されている。
【０００３】
上述した従来の給水流量制御装置は、給水弁からバイパス弁に切り換える場合、先ず切り換え指令信号が出て、主給水弁制御信号切換器およびバイパス給水弁制御信号切換器に入力され、自動切換制御装置からの弁開度調整信号が給水弁およびバイパス弁にそれぞれ入力されるようにその内部接続状態が切り換えられる。そして、バイパス弁用の弁開度調節信号が、０％（全閉）から、自動制御状態の主給水弁制御信号から算出された目標値まで、予め調整された変化率で上昇する。弁開度調節信号がバイパス弁に印加されると、所定の遅れを有して弁が開き始め、弁リフトは弁開度調節信号に追随して増大する。バイパス弁の実際の開放開始が弁リフトからバイパス給水弁開度検出信号として検出されると、予め調節された変化率で０％（全閉）まで弁開度を減少する弁開度調整信号が出力されて主給水弁制御信号切換器を経由して給水弁に印加される。給水弁の弁リフトは、遅れをもって弁開度調整信号に追随する。弁開度調節信号は、目標値に達してから、実際の弁開度が追いつくまで所定時間、目標値を保つ。そして、切り換え開始時に記憶された給水流量信号と目標値を保つ時点での給水流量信号との偏差に応じて、弁開度調節信号は、上昇し或いは下降し、切り換え状態が終了したら、通常の自動制御状態に切り換えられる。
【先行技術文献】
【特許文献】
【０００４】
【特許文献１】特開平１０−２５３００７号公報
【発明の概要】
【発明が解決しようとする課題】
【０００５】
給水弁とバイパス弁は、同時に用いられず、一方の弁が閉状態とされ他方の弁が開状態とされる。そして、これらの弁を切り換える場合、閉状態の一方の弁を開状態に移行させ、開状態の他方の弁を閉状態に移行させる。開状態に移行される一方の弁は、他方の弁における冷却材の流量と同等の流量とする目標弁開度に向けて開作動する。また、開状態に移行される一方の弁が閉状態で閉固着しているおそれがあるため、一方の弁の開作動を確認した後に他方の弁を閉作動する。そして、各弁は、冷却材の流量の変動を抑制するように互いに並行して流量の一時的な増減が最小となるように開作動と閉作動とを行う。
【０００６】
このような各弁の切り換えにおいて、弁体を弁座に押し付けるトルクの変化や、空気式制御弁の場合にダイヤフラムの変位速度の変化などにより、一方の弁に対して開作動の作動信号が出力されてから開作動を開始するまでの追従時間に変化が生じる場合がある。この場合、追従時間が長ければ目標弁開度に達するまで出力信号に追いつくように一方の弁の開作動速度が速くなる。これに対して、追従時間が短ければ弁の開作動速度は遅くなる。その一方で、閉状態に移行する他方の弁は、一方の弁の開作動が開始した時点で閉作動の作動信号が出力され、この作動信号に従って一定速度で閉状態になる。この結果、追従時間が長くなると、一方の弁が開作動したときの給水流量が切り換え前と比較して過渡的に増加傾向となるオーバーシュートとなり、給水流量の偏差が過大となって警報が発信される原因となる。
【０００７】
本発明は上述した課題を解決するものであり、弁の切り換え時における給水流量の変動を抑制することのできる給水制御装置および給水装置を提供することを目的とする。
【課題を解決するための手段】
【０００８】
上述の目的を達成するために、第１の発明の給水制御装置は、流体を供給する給水管と、前記給水管に設けられた給水弁と、前記給水弁の上流側と下流側とで前記給水管に接続されるバイパス管と、前記バイパス管に設けられて前記給水弁に比して定格容量が異なるバイパス弁と、を備える給水装置について、前記給水弁と前記バイパス弁とを切換制御する給水制御装置であって、閉状態の一方の弁に所定の目標弁開度とする開作動信号を出力したときから前記一方の弁が開作動を開始した旨の作動開始信号を入力するときまでの追従時間を取得する一方、前記作動開始信号に基づいて開状態の他方の弁に閉作動信号を出力すると共に閉作動信号を出力してから前記他方の弁が閉状態になるまでの閉作動時間を前記追従時間に応じて設定することを特徴とする。
【０００９】
この給水制御装置によれば、閉状態の一方の弁に開作動信号を出力したときから一方の弁が開作動を開始するまでの追従時間に応じ、開状態の他方の弁に閉作動信号を出力してから他方の弁が閉状態になるまでの閉作動時間を設定することから、一方の弁が開作動を開始するまでの追従時間に変化があっても、これに応じた他方の弁の閉作動時間を得ることにより、弁の切り換え時における給水流量の変動を抑制する制御を行うことができる。
【００１０】
また、第２の発明の給水制御装置は、第１の発明において、前記他方の弁の開状態における弁開度に基づいて前記一方の弁における前記目標弁開度を求めることを特徴とする。
【００１１】
この給水制御装置によれば、切り換えた後の一方の弁における目標弁開度を、切り換える元である他方の弁の弁開度に基づいて求めることにより、切り換え前と切り換え後との給水流量を同様にすることができる。
【００１２】
また、第３の発明の給水制御装置は、第１または第２の発明において、前記追従時間に基づいて、前記開作動信号を出力してから前記一方の弁が前記目標弁開度となるまでの開作動時間を求め、当該開作動時間に基づいて前記他方の弁の前記閉作動時間を設定することを特徴とする。
【００１３】
この給水制御装置によれば、一方の弁に開作動信号を出力したときから当該一方の弁が開作動を開始するまでの追従時間に基づいて、開作動信号を出力してから一方の弁が目標弁開度となるまでの開作動時間を差し引いて求め、この開作動時間から他方の弁の閉作動時間を設定する。この結果、弁の切り換え時における給水流量の変動を抑制する制御を行うための他方の弁の閉作動時間を適宜設定することができる。
【００１４】
また、第４の発明の給水制御装置は、第１〜第３のいずれか一つの発明において、前記給水装置の前記給水弁および前記バイパス弁が、空気式制御弁であることを特徴とする。
【００１５】
空気式制御弁は、ダイヤフラムの変位などにより、開作動信号が出力されてから開作動開始までの追従時間に変化が生じ易い傾向にある。このため、この給水制御装置によれば、当該空気式制御弁に対応し、弁の切り換え時における給水流量の変動を抑制する制御を行うことができる。
【００１６】
上述の目的を達成するために、第５の発明の給水装置は、流体を供給する給水管と、前記給水管に設けられた給水弁と、前記給水弁の上流側と下流側とで前記給水管に接続されるバイパス管と、前記バイパス管に設けられて前記給水弁に比して定格容量が異なるバイパス弁と、を備える給水装置において、前記給水弁と前記バイパス弁とを切換制御する請求項１〜４のいずれか一つに記載の前記給水制御装置を備えることを特徴とする。
【００１７】
この給水装置によれば、閉状態の一方の弁に開作動信号を出力したときから一方の弁が開作動を開始するまでの追従時間に応じ、開状態の他方の弁に閉作動信号を出力してから他方の弁が閉状態になるまでの閉作動時間を設定することから、一方の弁が開作動を開始するまでの追従時間に変化があっても、これに応じた他方の弁の閉作動時間を得ることにより、弁の切り換え時における給水流量の変動を抑制することができる。
【発明の効果】
【００１８】
本発明によれば、弁の切り換え時における給水流量の変動を抑制することができる。
【図面の簡単な説明】
【００１９】
【図１】図１は、本発明の実施形態に係る給水装置を備えた原子力施設の概略構成図である。
【図２】図２は、本発明の実施形態に係る給水制御装置における弁の切り換え動作を示すタイムチャートである。
【図３】図３は、本発明の実施形態に係る給水制御装置に対比する従前における弁の切り換え動作を示すタイムチャートである。
【図４】図４は、弁の切り換え時における給水流量の変動を示すタイムチャートである。
【発明を実施するための形態】
【００２０】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２１】
図１は、本実施形態に係る給水装置を備えた原子力施設の概略構成図である。原子力施設１は、原子炉２を有する。原子炉２は、例えば、加圧水型原子炉（ＰＷＲ：Pressurized  Water  Reactor）が用いられる。この加圧水型の原子炉２を用いた原子力施設１は、原子炉２を含む原子炉冷却系（一次冷却系）１００と、原子炉冷却系１００と熱交換するタービン系（二次冷却系）２００とで構成される。原子炉冷却系１００は、一次冷却材が流通し、タービン系２００は、二次冷却材（冷却材）が流通する。
【００２２】
原子炉冷却系１００は、コールドレグ３ａおよびホットレグ３ｂを介して原子炉２に接続された蒸気発生器４を有する。ホットレグ３ｂは、加圧器５が設けられ、コールドレグ３ａは、一次冷却材ポンプ６が設けられている。そして、原子炉２、コールドレグ３ａ、ホットレグ３ｂ、蒸気発生器４、加圧器５および一次冷却材ポンプ６は、原子炉格納容器７に収容されている。
【００２３】
原子炉２は、上記したように加圧水型原子炉であり、その内部は一次冷却材で満たされる。一次冷却材は、中性子減速材として用いられるホウ素が溶解した軽水である。また、原子炉２は、その内部に、多数の燃料集合体８が収容され、この各燃料集合体８に対し、燃料集合体８の核分裂を制御する多数の制御棒９が抜差し可能に設けられている。
【００２４】
原子力施設１の原子炉冷却系１００における一連の動作について説明する。原子炉２内において、制御棒９により核分裂反応を制御しながら燃料集合体８を核分裂させると、核分裂により熱エネルギーが発生する。この熱エネルギーにより、原子炉２内の一次冷却材が加熱されると、加熱された一次冷却材は、一次冷却材ポンプ６によりホットレグ３ｂを介して蒸気発生器４に送られる。ホットレグ３ｂを通過する高温の一次冷却材は、加圧器５により加圧されることで沸騰が抑制され、高温高圧となった状態で、蒸気発生器４に流入する。蒸気発生器４に流入した高温高圧の一次冷却材は、二次冷却材と熱交換を行うことにより冷却され、冷却された一次冷却材は、一次冷却材ポンプ６によりコールドレグ３ａを介して原子炉２に送られる。そして、冷却された一次冷却材が原子炉２に流入することで、原子炉２が冷却される。このように、一次冷却材は、原子炉２と蒸気発生器４とを循環している。
【００２５】
タービン系２００は、蒸気管１１を介して蒸気発生器４に接続されたタービン１２、タービン１２に接続された復水器１３、および復水器１３と蒸気発生器４とを接続する給水管１４に介設された給水ポンプ１５、を有している。そして、タービン１２は、発電機１６が接続されている。
【００２６】
原子力施設１のタービン系２００における一連の動作について説明する。蒸気管１１を介して蒸気発生器４から蒸気がタービン１２に流入すると、タービン１２は回転を行う。タービン１２が回転すると、タービン１２に接続された発電機１６は、発電を行う。この後、タービン１２から流出した蒸気は復水器１３に流入する。復水器１３は、その内部に冷却管１７が配設されており、冷却管１７の一方には冷却水（例えば、海水）を供給するための取水管１８が接続され、冷却管１７の他方には冷却水を排水するための排水管１９が接続されている。この復水器１３は、タービン１２から流入した蒸気を冷却管１７により冷却することで、蒸気を液体に戻す。液体となった二次冷却材は、給水ポンプ１５により給水管１４を介して蒸気発生器４に送られる。蒸気発生器４に送られた二次冷却材は、蒸気発生器４において一次冷却材と熱交換を行うことにより再び蒸気となる。
【００２７】
上記した原子力施設１において、二次冷却材は、上記の給水管１４および給水ポンプ１５を含む給水装置４０により、その流量が制御されながら、蒸気発生器４へ向けて供給される。
【００２８】
給水装置４０は、図１に示すように、上記の給水管１４と、上記の給水ポンプ１５と、給水管１４に設けられた給水弁４２と、給水弁４２を迂回して給水管１４に接続されたバイパス管４３と、バイパス管４３に設けられたバイパス弁４４と、給水弁４２の作動を検出する給水弁作動検出器４５と、バイパス弁４４の作動を検出するバイパス弁作動検出器４６と、を備える。この給水装置４０は、給水制御装置５１により制御される。
【００２９】
給水弁４２は、給水管１４において給水ポンプ１５の下流側に設けられている。給水弁４２は、空気式の制御弁であり、バイパス弁４４に比して、定格容量の大きな構成となっている。バイパス管４３は、その一端が給水弁４２の上流側で給水管１４に接続され、その他端が給水弁４２の下流側で給水管１４に接続されている。バイパス弁４４は、バイパス管４３に設けられている。バイパス弁４４は、給水弁４２と同様に空気式の制御弁であるが、給水弁４２に比して、定格容量の小さな構成となっている。なお、給水弁４２およびバイパス弁４４は、空気式の制御弁に限らず電動式や油圧式であってもよい。
【００３０】
給水弁作動検出器４５は、例えば、給水弁４２における弁体を作動させる作動軸に設けられたリミットスイッチであり、当該作動軸が動いたことにより弁体が動いて給水弁４２が作動したことを検出する。バイパス弁作動検出器４６は、例えば、バイパス弁４４における弁体を作動させる作動軸に設けられたリミットスイッチであり、当該作動軸が動いたことにより弁体が動いてバイパス弁４４が作動したことを検出する。
【００３１】
給水制御装置５１は、給水装置４０を統括的に制御する。給水制御装置５１は、給水弁作動検出器４５、およびバイパス弁作動検出器４６に接続され、さらに、給水弁４２およびバイパス弁４４に接続されている。この給水制御装置５１は、給水弁作動検出器４５、およびバイパス弁作動検出器４６からの入力に基づいて給水弁４２およびバイパス弁４４を制御することにより、給水弁４２とバイパス弁４４を切り換えて蒸気発生器４への給水制御を行う。
【００３２】
図２は、本実施形態に係る給水制御装置における弁の切り換え動作を示すタイムチャートである。また、図３は、本実施形態に係る給水制御装置に対比する従前における弁の切り換え動作を示すタイムチャートである。また、図４は、弁の切り換え時における給水流量の変動を示すタイムチャートである。
【００３３】
ここで、給水制御装置５１においてバイパス弁４４を開状態として制御し、給水弁４２を閉状態として制御しない給水制御を給水バイパス系という。一方、給水制御装置５１において給水弁４２を開状態として制御し、バイパス弁４４を閉状態として制御しない給水制御を給水系という。この給水バイパス系と給水系との切り換えは、オペレータの切換操作（切換スイッチの操作）による切換信号を入力した給水制御装置５１が各弁の切り換えを制御する。また、給水バイパス系と給水系との切り換えのタイミングは、所望とする給水流量をそれぞれの弁の弁開度でまかなえる状態のときであって、すなわち設定給水流量以内である状態のときである。
【００３４】
図２〜図４では、バイパス弁４４が開状態とされ給水弁４２が閉状態とされた給水バイパス系から、給水系に切り換える場合を示している。
【００３５】
本実施形態の給水制御装置５１は、図２に示すように、切換信号を入力したＴ０のとき、このときのバイパス弁４４の開状態における弁開度（例えば、６０％弁開度）αに基づいて、閉状態の給水弁４２の目標弁開度（例えば、３０％弁開度）である目標値βを求める。そして、給水制御装置５１は、給水弁４２の開作動信号０から目標値βになるまでの時間Ｔ０−ＴＥの間、一定速度で給水弁４２を開作動させる。しかし、図２および図３に示すように、給水弁４２において弁体を弁座に押し付けるトルクや、空気式制御弁の場合にダイヤフラムの変位などの変化により、給水弁４２に対して開作動の作動信号が出力されてから給水弁作動検出器４５の給水弁開作動開始検出時Ｔ１，Ｔ２，Ｔ３までの追従時間Ａ１，Ａ２，Ａ３に変化が生じる場合がある。このような場合、図２および図３に示すように、給水弁４２は、追従時間の変化により、各開作動開始時Ｔ１，Ｔ２，Ｔ３から目標弁開度βになるまでの開作動時間Ｂ１，Ｂ２，Ｂ３が異なることになる。
【００３６】
ここで、図３に示すように、本実施形態に係る給水制御装置５１に対比する従前における弁の切り換え動作においては、給水弁作動検出器４５から開作動開始信号を入力した各開作動開始時Ｔ１，Ｔ２，Ｔ３に基づく閉作動信号ＣＳ１’，ＣＳ２’，ＣＳ３’に従ってバイパス弁４４が閉作動を開始する。この各閉作動信号ＣＳ１’，ＣＳ２’，ＣＳ３’は同じ信号であり、各開作動開始時Ｔ１，Ｔ２，Ｔ３から弁開度０になるまでのバイパス弁４４の閉作動時間は同じである。このため、図４に示すように、給水弁作動検出器４５から開作動開始信号を入力した開作動開始時Ｔ１，Ｔ２，Ｔ３から始まって、バイパス弁４４から給水弁４２に切り換わるまでの給水流量は、実線で示すように弁切り換え前の給水流量から変動しないことが好ましいが、開作動開始時が遅れたとしても閉作動開始時間は同じであるため、切り換え中の給水流量が増加傾向となるオーバーシュートとなる（図４に一点鎖線で示す）。
【００３７】
そこで、本実施形態の給水制御装置５１は、図２に示すように、給水弁４２に目標弁開度βとする開作動信号を出力したときＴ０から、給水弁４２が開作動を開始した旨の作動開始信号を給水弁作動検出器４５から入力するときＴ１，Ｔ２，Ｔ３までの追従時間Ａ１，Ａ２，Ａ３を取得する。
【００３８】
さらに、給水制御装置５１は、追従時間Ａ１，Ａ２，Ａ３から給水弁４２が目標弁開度βとなるまでの開作動時間Ｂ１，Ｂ２，Ｂ３を求め、すなわち、給水弁４２が弁開度０から目標弁開度βになるまでの時間Ｔ０−ＴＥから追従時間Ａ１，Ａ２，Ａ３を引いて開作動時間Ｂ１，Ｂ２，Ｂ３を求める。
【００３９】
さらに、給水制御装置５１は、開作動時間Ｂ１，Ｂ２，Ｂ３に基づいてバイパス弁４４の閉作動時間Ｃ１，Ｃ２，Ｃ３を設定する。そして、作動開始信号に基づいてバイパス弁４４に閉作動時間Ｃ１，Ｃ２，Ｃ３に応じた閉作動信号ＣＳ１，ＣＳ２，ＣＳ３を出力してバイパス弁４４を閉状態とする。
【００４０】
具体的に、閉作動信号ＣＳ１，ＣＳ２，ＣＳ３は、図４に示すように、給水弁作動検出器４５から開作動開始信号を入力した開作動開始時Ｔ１，Ｔ２，Ｔ３から始まって、バイパス弁４４から給水弁４２に切り換わるまでの給水流量の変動が、実線で示すように給水流量の増減変動が小さくなるようにしたものである。つまり、従前の給水制御装置では、開作動開始時が遅くなればなるほど、閉作動時間は遅れるため、弁切り換え中の給水流量が弁切り換え前の給水流量に比べて増加していたが、比較的遅く開作動開始信号を入力したとしても（例えば、開作動開始時Ｔ３）では、閉作動信号ＣＳ３を出力して比較的短い閉作動時間Ｃ３でバイパス弁４４を閉作動させ、図４に実線で示すように給水流量の変動を抑制する。
【００４１】
なお、給水弁４２が開状態とされバイパス弁４４が閉状態とされた給水系から、給水バイパス系に切り換える場合は、給水弁４２の作動とバイパス弁４４の作動とを入れ換えて同様の切換制御を行えばよい。
【００４２】
以上説明したように、本実施形態の給水制御装置５１は、冷却材（流体）を供給する給水管１４と、給水管１４に設けられた給水弁４２と、給水弁４２の上流側と下流側とで給水管１４に接続されるバイパス管４３と、バイパス管４３に設けられて給水弁４２に比して定格容量が異なるバイパス弁４４と、を備える給水装置４０について、給水弁４２とバイパス弁４４とを切換制御するものであって、閉状態の一方の弁に所定の目標弁開度βとする開作動信号ＯＳ１を出力したときＴ０から一方の弁が開作動を開始した旨の作動開始信号を入力するときＴ１，Ｔ２，Ｔ３までの追従時間Ａ１，Ａ２，Ａ３を取得する一方、作動開始信号に基づいて開状態の他方の弁に閉作動信号ＣＳ１，ＣＳ２，ＣＳ３を出力すると共に閉作動信号ＣＳ１，ＣＳ２，ＣＳ３を出力してから他方の弁が閉状態になるまでの閉作動時間Ｃ１，Ｃ２，Ｃ３を追従時間Ａ１，Ａ２，Ａ３に応じて設定する。
【００４３】
この給水制御装置５１によれば、閉状態の一方の弁に開作動信号ＯＳ１を出力したときから一方の弁が開作動を開始するまでの追従時間Ａ１，Ａ２，Ａ３に応じ、開状態の他方の弁に閉作動信号ＣＳ１，ＣＳ２，ＣＳ３を出力してから他方の弁が閉状態になるまでの閉作動時間Ｃ１，Ｃ２，Ｃ３を設定することから、一方の弁が開作動を開始するまでの追従時間Ａ１，Ａ２，Ａ３に変化があっても、これに応じた他方の弁の閉作動時間Ｃ１，Ｃ２，Ｃ３を得ることにより、弁の切り換え時における給水流量の変動を抑制する制御を行うことができる。
【００４４】
また、本実施形態の給水制御装置５１は、他方の弁の開状態における弁開度αに基づいて一方の弁における目標弁開度βを求める。
【００４５】
この給水制御装置５１によれば、切り換えた後の一方の弁における目標弁開度βを、切り換える元である他方の弁の弁開度αに基づいて求めることにより、切り換え前と切り換え後との給水流量を同様にすることができる。
【００４６】
また、本実施形態の給水制御装置５１は、追従時間Ａ１，Ａ２，Ａ３に基づいて、開作動信号ＯＳ１を出力してから一方の弁が目標弁開度βとなるまでの開作動時間Ｂ１，Ｂ２，Ｂ３を求め、当該開作動時間Ｂ１，Ｂ２，Ｂ３に基づいて他方の弁の閉作動時間Ｃ１，Ｃ２，Ｃ３を設定する。
【００４７】
この給水制御装置５１によれば、一方の弁に開作動信号ＯＳ１を出力したときから当該一方の弁が開作動を開始するまでの追従時間Ａ１，Ａ２，Ａ３に基づいて、開作動信号ＯＳ１を出力してから一方の弁が目標弁開度βとなるまでの開作動時間Ｂ１，Ｂ２，Ｂ３を差し引いて求め、この開作動時間Ｂ１，Ｂ２，Ｂ３から他方の弁の閉作動時間Ｃ１，Ｃ２，Ｃ３を設定する。この結果、弁の切り換え時における給水流量の変動を抑制する制御を行うための他方の弁の閉作動時間Ｃ１，Ｃ２，Ｃ３を適宜設定することができる。
【００４８】
また、本実施形態の給水制御装置５１は、給水装置４０の給水弁４２およびバイパス弁４４が、空気式制御弁である。
【００４９】
空気式制御弁は、ダイヤフラムの変位などにより、開作動信号ＯＳ１が出力されてから開作動開始時Ｔ１，Ｔ２，Ｔ３までの追従時間Ａ１，Ａ２，Ａ３に変化が生じ易い傾向にある。このため、本実施形態の給水制御装置５１によれば、当該空気式制御弁に対応し、弁の切り換え時における給水流量の変動を抑制する制御を行うことができる。
【００５０】
また、本実施形態の給水装置４０は、冷却材（流体）を供給する給水管１４と、給水管１４に設けられた給水弁４２と、給水弁４２の上流側と下流側とで給水管１４に接続されるバイパス管４３と、バイパス管４３に設けられて給水弁４２に比して定格容量が異なるバイパス弁４４と、給水弁４２とバイパス弁４４とを切換制御する上述した給水制御装置５１と、を備える。
【００５１】
この給水装置４０によれば、閉状態の一方の弁に開作動信号ＯＳ１を出力したときから一方の弁が開作動を開始するまでの追従時間Ａ１，Ａ２，Ａ３に応じ、開状態の他方の弁に閉作動信号ＣＳ１，ＣＳ２，ＣＳ３を出力してから他方の弁が閉状態になるまでの閉作動時間Ｃ１，Ｃ２，Ｃ３を設定することから、一方の弁が開作動を開始するまでの追従時間Ａ１，Ａ２，Ａ３に変化があっても、これに応じた他方の弁の閉作動時間Ｃ１，Ｃ２，Ｃ３を得ることにより、弁の切り換え時における給水流量の変動を抑制することができる。
【符号の説明】
【００５２】
１４  給水管
１５  給水ポンプ
４０  給水装置
４２  給水弁
４３  バイパス管
４４  バイパス弁
４５  給水弁作動検出器
４６  バイパス弁作動検出器
５１  給水制御装置
【図１】
2015230125.tif 000003
【図２】
2015230125.tif 000004
【図３】
2015230125.tif 000005
【図４】
2015230125.tif 000006